(57)【要約】【課題】  ユーザの腹部が圧迫されたり、ユーザの背部の衣服がマットレスに圧迫されたりするのを防ぐことができると共に、リクライニングフレームの傾斜角度を調整するときの快適性を高めることができる電動ベッドのリクライニング連動構造を提供する。【解決手段】  電動ベッドのリクライニング連動構造は、ベッドフレーム１０と、ベッドフレーム１０に組み合わされるリクライニングフレーム２０と、固定ピン３０と、２つの接続ロッド４０と、複数の締結部材５０とを備える。ベッドフレーム１０には、駆動装置１１が枢着され、駆動装置１１には、末端に第１枢着孔１１２が設けられた伸縮ロッドが突設され、駆動装置１１の両側には、２つの固定ロッド１２が対向配置され、固定ロッド１２の中段部側面には、第２枢着孔１２２が設けられ、固定ロッド１２の後段部には、スライド溝１２３が設けられている。【選択図】  図２
0003165061.tif 000002
【実用新案登録請求の範囲】
【請求項１】
ベッドフレームと、前記ベッドフレームに組み合わされるリクライニングフレームと、固定ピンと、２つの接続ロッドと、複数の締結部材とを備える電動ベッドのリクライニング連動構造であって、
前記ベッドフレームには、駆動装置が枢着され、前記駆動装置には、末端に第１枢着孔が設けられた伸縮ロッドが突設され、前記駆動装置の両側には、２つの固定ロッドが対向配置され、前記固定ロッドの中段部側面には、第２枢着孔が設けられ、前記固定ロッドの後段部には、スライド溝が設けられ、
前記リクライニングフレームの内枠の底面には、第１枢着孔が設けられた被押圧部が突設され、前記被押圧部の両側には、２つの結合ロッドが対向配置され、前記結合ロッドの後段部側辺には、第３枢着孔が設けられ、前記各結合ロッドには、湾曲アームが互いに対向するように接続され、前記湾曲アームは、前記リクライニングフレームの外側に湾曲して延伸し、前記延伸段部には、貫通孔が設けられ、前記接続ロッド上には、互いに離間配置される第２枢着孔及び第３枢着孔が設けられ、
前記ベッドフレーム中の駆動装置の第１枢着孔と、前記リクライニングフレーム中の被押圧部の第１枢着孔と、は締結部材が貫設されることによって枢着され、前記接続ロッドの第２枢着孔と、前記ベッドフレーム中の固定ロッドの第２枢着孔と、は締結部材が貫設されることによって枢着され、前記接続ロッドの第３枢着孔と、前記リクライニングフレーム中の結合ロッドの第３枢着孔と、は締結部材が貫設されることによって枢着され、これにより、前記接続ロッドの両端は、前記ベッドフレームと前記リクライニングフレームとにそれぞれ枢着され、
前記固定ピンの締結部材が前記リクライニングフレーム中の湾曲アームの貫通孔と、前記ベッドフレーム中の固定ロッドのスライド溝と、固定ピンのローラと、に貫設されることにより、前記リクライニングフレームの湾曲アームと前記接続ロッドとの間には、連動関係が形成され、
前記駆動装置を駆動すると、前記リクライニングフレームは、上方に傾斜する上、傾斜動作中、前記固定ピンが前記ベッドフレーム中の固定ロッドのスライド溝をスライドする距離と同じ距離で上方に移動しながら傾斜し、これにより、ユーザの腹部が圧迫されたり、ユーザの背部がマットレスに圧迫されたり、摩擦されたりするのを防止すると共に、リクライニングフレームの傾斜角度を調整するときの快適性を高めることを特徴とする電動ベッドのリクライニング連動構造。
【請求項２】
前記駆動装置は、電気制御、油圧又は気圧方式によって駆動されることを特徴とする請求項１に記載の電動ベッドのリクライニング連動構造。
【請求項３】
前記固定ロッドの上面には、複数の支持ブロックが突設されることを特徴とする請求項１に記載の電動ベッドのリクライニング連動構造。
【請求項４】
前記固定ピンは、締結部材と、前記締結部材が貫設されるローラと、を有することを特徴とする請求項１に記載の電動ベッドのリクライニング連動構造。
【請求項５】
前記リクライニングフレームを揺動可能な脚ボトムを有するベッドフレームに配置する場合、前記リクライニングフレームの枠フレームには、牽引部材が突設され、前記牽引部材には、ワイヤロープの一方の端部が接続され、前記ワイヤロープの他方の端部は、前記ベッドフレーム中の脚ボトムの末端に接続されることを特徴とする請求項１に記載の電動ベッドのリクライニング連動構造。
【考案の詳細な説明】
【技術分野】
【０００１】
本考案は、電動ベッドの構造に関するものであり、さらに詳しくは、人体工学的に好ましい電動ベッドのリクライニング連動構造に関するものである。
【背景技術】
【０００２】
図８を参照する。図８に示すように、従来の電動ベッドの構造は、ベッドフレーム６０の中間部に、揺動軸部６３を介してボトム６１の一方の端部が枢着される。また、ボトム６１の他方の端部に形成された接続部６４には、駆動装置６２の伸縮ロッド６５の端部が枢着され、ベッドフレーム６０の固定部６６には、駆動装置６２の他方の端部が枢着される。これにより、ボトム６１とベッドフレーム６０との間には、駆動装置６２が接続される。以上の構造により、電動ベッドが構成される。ユーザがボトム６１を傾斜させて頭部を持ち上げたいとき、まず、駆動装置６２を電力駆動させ、伸縮ロッド６５を伸長させる。これにより、伸縮ロッド６５がボトム６１の接続部６４を押圧し、ボトム６１が揺動軸部６３を軸心として揺動し、傾斜する。
【０００３】
しかし、上述の従来の電動ベッドの構造には、以下に示す欠点が存在する。
ボトム６１が傾斜するとき、ボトム６１とベッドフレーム６０との間の距離が固定されているため、ボトム６１は、ベッドフレーム６０に対し、揺動軸部６３を軸心として揺動するだけであるため、ボトム６１とベッドフレーム６０とのなす角度が小さくなったとき、ユーザの腹部が圧迫される状況が発生し、ユーザに不快感を与える虞がある。
【考案の開示】
【考案が解決しようとする課題】
【０００４】
本考案の課題は、リクライニングフレームが傾斜動作をするとき、ユーザの腹部が圧迫されたり、ユーザの背部の衣服がマットレスに圧迫されたりすることを防止することができる上、リクライニングフレームの傾斜角度を調整するときの快適性を高めることができる電動ベッドのリクライニング連動構造を提供することにある。
【課題を解決するための手段】
【０００５】
そこで本考案者は、前記の本考案の課題を解決するため、鋭意検討を重ねた結果、リクライニングフレームが傾斜動作をするとき、固定ピンが固定ロッドのスライド溝に沿ってスライドする距離と同一の距離だけ、リクライニングフレームが上方に移動しながら傾斜することにより、前記課題が解決できたことを見出し、かかる知見に基いて、本考案を完成するに至った。
【０００６】
かくして、上記課題を解決するために、本考案によれば、
ベッドフレームと、前記ベッドフレームに組み合わされるリクライニングフレームと、固定ピンと、２つの接続ロッドと、複数の締結部材とを備える電動ベッドのリクライニング連動構造であって、
前記ベッドフレームには、駆動装置が枢着され、前記駆動装置には、末端に第１枢着孔が設けられた伸縮ロッドが突設され、前記駆動装置の両側には、２つの固定ロッドが対向配置され、前記固定ロッドの中段部側面には、第２枢着孔が設けられ、前記固定ロッドの後段部には、スライド溝が設けられ、
前記リクライニングフレームの内枠の底面には、第１枢着孔が設けられた被押圧部が突設され、前記被押圧部の両側には、２つの結合ロッドが対向配置され、前記結合ロッドの後段部側辺には、第３枢着孔が設けられ、前記各結合ロッドには、湾曲アームが互いに対向するように接続され、前記湾曲アームは、前記リクライニングフレームの外側に湾曲して延伸し、前記延伸段部には、貫通孔が設けられ、前記接続ロッド上には、互いに離間配置される第２枢着孔及び第３枢着孔が設けられ、
前記ベッドフレーム中の駆動装置の第１枢着孔と、前記リクライニングフレーム中の被押圧部の第１枢着孔と、は締結部材が貫設されることによって枢着され、前記接続ロッドの第２枢着孔と、前記ベッドフレーム中の固定ロッドの第２枢着孔と、は締結部材が貫設されることによって枢着され、前記接続ロッドの第３枢着孔と、前記リクライニングフレーム中の結合ロッドの第３枢着孔と、は締結部材が貫設されることによって枢着され、これにより、前記接続ロッドの両端は、前記ベッドフレームと前記リクライニングフレームとにそれぞれ枢着され、
前記固定ピンの締結部材が前記リクライニングフレーム中の湾曲アームの貫通孔と、前記ベッドフレーム中の固定ロッドのスライド溝と、固定ピンのローラと、に貫設されることにより、前記リクライニングフレームの湾曲アームと前記接続ロッドとの間には、連動関係が形成され、
前記駆動装置を駆動すると、前記リクライニングフレームは、上方に傾斜する上、傾斜動作中、前記固定ピンが前記ベッドフレーム中の固定ロッドのスライド溝をスライドする距離と同じ距離で上方に移動しながら傾斜し、これにより、ユーザの腹部が圧迫されたり、ユーザの背部がマットレスに圧迫されたり、摩擦されたりするのを防止すると共に、リクライニングフレームの傾斜角度を調整するときの快適性を高めることを特徴とする電動ベッドのリクライニング連動構造が提供される。
【０００７】
前記駆動装置は、電気制御、油圧又は気圧方式によって駆動されることが好ましい。
【０００８】
前記固定ロッドの上面には、複数の支持ブロックが突設されることが好ましい。
【０００９】
前記固定ピンは、締結部材と、前記締結部材が貫設されるローラと、を有することが好ましい。
【００１０】
前記リクライニングフレームを揺動可能な脚ボトムを有するベッドフレームに配置する場合、前記リクライニングフレームの枠フレームには、牽引部材が突設され、前記牽引部材には、ワイヤロープの一方の端部が接続され、前記ワイヤロープの他方の端部は、前記ベッドフレーム中の脚ボトムの末端に接続されることが好ましい。
【考案の効果】
【００１１】
本考案の電動ベッドのリクライニング連動構造は、ユーザの腹部が圧迫されたり、ユーザの背部の衣服がマットレスに圧迫されたりするのを防ぐことができる上、リクライニングフレームの傾斜角度を調整するときの快適性を高めることができる。
【図面の簡単な説明】
【００１２】
【図１】本考案の一実施形態による電動ベッドのリクライニング連動構造を示す斜視図である。
【図２】本考案の一実施形態による電動ベッドのリクライニング連動構造を示す分解斜視図である。
【図３】本考案の一実施形態による電動ベッドのリクライニング連動構造を示す拡大図である。
【図４】本考案の一実施形態による電動ベッドのリクライニング連動構造を示す正面図である。
【図５】本考案の一実施形態による電動ベッドのリクライニング連動構造のリクライニングフレームが傾斜する動作を示す断面図である。
【図６】本考案の一実施形態による電動ベッドのリクライニング連動構造のリクライニングフレームが傾斜する動作を示す断面図である。
【図７】本考案の他の実施形態による電動ベッドのリクライニング連動構造を示す斜視図である。
【図８】従来の電動ベッドのボトムが傾斜する動作を示す断面図である。
【考案を実施するための形態】
【００１３】
以下、本考案の実施形態について図面に基づいて説明する。なお、これによって本考案が限定されるものではない。
【００１４】
図１及び図２を参照する。図１及び図２に示すように、本考案の一実施形態による電動ベッドのリクライニング連動構造は、ベッドフレーム１０と、ベッドフレーム１０に組み合わされるリクライニングフレーム２０と、固定ピン３０と、２つの接続ロッド４０と、複数の締結部材５０と、を含む。ベッドフレーム１０には、電気制御、油圧又は気圧方式によって駆動される駆動装置１１が枢着される。駆動装置１１には、末端に第１枢着孔１１２が設けられた伸縮ロッド１１１が突設される。また、駆動装置１１の両側には、２つの固定ロッド１２が対向配置される。固定ロッド１２の上面には、複数の支持ブロック１２１が突設される。固定ロッド１２の中間部側面には、第２枢着孔１２２が設けられる。固定ロッド１２の後部には、スライド溝１２３が設けられる。リクライニングフレーム２０の内枠の底面には、第１枢着孔２１１が設けられた被押圧部２１が突設される。被押圧部２１の両側には、２つの結合ロッド２２が対向配置される。結合ロッド２２の後部側辺には、第３枢着孔２２１が設けられる。各結合ロッド２２には、湾曲アーム２３が互いに対向するように接続される。湾曲アーム２３は、リクライニングフレーム２０の外側に湾曲して延伸し、延伸段部には、貫通孔２３１が設けられる。固定ピン３０は、締結部材３１と、締結部材３１が貫設されるローラ３２と、を含む。接続ロッド４０上には、互いに離間配置される第２枢着孔４１及び第３枢着孔４２が設けられる。
【００１５】
図２及び図３を参照する。図２及び図３に示すように、まず、ベッドフレーム１０中の駆動装置１１の第１枢着孔１１２と、リクライニングフレーム２０中の被押圧部２１の第１枢着孔２１１と、が対向配置され、第１枢着孔１１２及び第１枢着孔２１１に締結部材５０が貫設されることによって枢着される。また、接続ロッド４０の第２枢着孔４１と、ベッドフレーム１０中の固定ロッド１２の第２枢着孔１２２と、が対向配置され、第２枢着孔４１及び第２枢着孔１２２に締結部材５０が貫設されることによって枢着される。また、接続ロッド４０の第３枢着孔４２と、リクライニングフレーム２０中の結合ロッド２２の第３枢着孔２２１と、が対向配置され、第３枢着孔４２及び第３枢着孔２２１に締結部材５０が貫設されることによって枢着される。これにより、接続ロッド４０の両端は、ベッドフレーム１０とリクライニングフレーム２０とにそれぞれ枢着される。その後、リクライニングフレーム２０中の湾曲アーム２３の貫通孔２３１と、ベッドフレーム１０中の固定ロッド１２のスライド溝１２３と、が対向配置され、固定ピン３０の締結部材３１が、リクライニングフレーム２０中の湾曲アーム２３の貫通孔２３１と、ベッドフレーム１０中の固定ロッド１２のスライド溝１２３と、固定ピン３０のローラ３２と、に貫設される。これにより、リクライニングフレーム２０の湾曲アーム２３と連結ロッド４０との間には、連動関係が形成される。これにより、駆動装置１１を駆動することにより、ベッドフレーム１０がリクライニングフレーム２０を駆動し、リクライニングフレーム２０を揺動させることができる。また、リクライニングフレーム２０の湾曲アーム２３は、固定ピン３０のローラ３２がベッドフレーム１０中の固定ロッド１２のスライド溝１２３をスライドすることにより、リクライニングフレーム２０を外部に移動させることができる。これにより、リクライニングフレーム２０が傾斜するとき、ユーザの腹部が圧迫されるのを防止することができる。
【００１６】
図２及び図４を参照する。図２及び図４に示すように、ベッドフレーム１０の駆動装置１１の伸縮ロッド１１１が収縮したとき、リクライニングフレーム２０は、ベッドフレーム１０中の固定ロッド１２の支持ブロック１２１上方に当接され、駆動装置１１の上方に位置する。このとき、リクライニングフレーム２０中の湾曲アーム２３の固定ピン３０は、ベッドフレーム１０中の固定ロッド１２のスライド溝１２３後端に位置する。駆動装置１１の伸縮ロッド１１１が伸長するとき、伸縮ロッド１１１は、リクライニングフレーム２０の被押圧部２１を押圧する。このとき、リクライニングフレーム２０の後段は、接続ロッド４０によって引っ張られるため、上方に移動する。これと同時に、湾曲アーム２３中の固定ピン３０のローラ３２がベッドフレーム１０中の固定ロッド１２のスライド溝１２３を第２枢着孔１２２の方向にスライドする。上述の動作により、リクライニングフレーム２０は、上方に傾斜する上、上方に傾斜するとき、固定ピン３０のローラ３２がベッドフレーム１０中の固定ロッド１２のスライド溝１２３をスライドする距離と同じ距離で上方に移動しながら傾斜する（図５及び図６を参照する）。これにより、ユーザの腹部が圧迫されるのを防止することができ、リクライニングフレーム２０の傾斜角度を調整するときの快適性を高めることができる。さらに、固定ピン３０には、ローラ３２が組み合わされているため、スムーズにスライドする。
【００１７】
図７を参照する。図７に示すように、本考案の他の実施形態による電動ベッドのリクライニング連動構造は、揺動可能な脚ボトムを有するベッドフレーム１０にリクライニングフレーム２０を配置する場合、リクライニングフレーム２０の枠フレームに牽引部材２４を突設することができる。牽引部材２４には、ワイヤロープ２５の一方の端部が接続され、ワイヤロープ２５の他方の端部は、ベッドフレーム１０中の脚ボトムの末端に接続される。これにより、リクライニングフレーム２０を作動させたとき、ベッドフレーム１０の脚ボトムを同時に揺動させることができる。
【００１８】
上述したことから分かるように、リクライニングフレーム２０が傾斜動作をするとき、リクライニングフレーム２０が、固定ピン３０のローラ３２がベッドフレーム１０中の固定ロッド１２のスライド溝１２３をスライドする距離と同じ距離で上方に移動しながら傾斜することにより、ユーザの腹部が圧迫されるのを防止することができ、リクライニングフレーム２０の傾斜角度を調整するときの快適性を高めることができる。さらに、固定ピン３０には、ローラ３２が組み合わされているため、スムーズにスライドする。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１０  ベッドフレーム
１１  駆動装置
１２  固定ロッド
２０  リクライニングフレーム
２１  被押圧部
２２  結合ロッド
２３  湾曲アーム
２４  牽引部材
２５  ワイヤロープ
３０  固定ピン
３１  締結部材
３２  ローラ
４０  接続ロッド
４１  第２枢着孔
４２  第３枢着孔
５０  締結部材
６０  ベッドフレーム
６１  ボトム
６２  駆動装置
６３  揺動軸部
６４  接続部
６５  伸縮ロッド
６６  固定部
１１１  伸縮ロッド
１１２  第１枢着孔
１２１  支持ブロック
１２２  第２枢着孔
１２３  スライド溝
２１１  第１枢着孔
２２１  第３枢着孔
２３１  貫通孔
【図１】
0003165061.tif 000003
【図２】
0003165061.tif 000004
【図３】
0003165061.tif 000005
【図４】
0003165061.tif 000006
【図５】
0003165061.tif 000007
【図６】
0003165061.tif 000008
【図７】
0003165061.tif 000009
【図８】
0003165061.tif 000010